(57)【特許請求の範囲】
【請求項１】
前方を向いて立てた状態に設けられた下部フロントプレートと、
前記下部フロントプレートの上端から上斜め前方に張り出して、前上がりに傾斜し、その前面に発光素子が取り付けられたフロントベースプレートと、
前記フロントベースプレートの前端から上方に張り出すとともに前方を向いた上部フロントプレートと、
前記下部フロントプレート、前記フロントベースプレート及び上部フロントプレートの後面から後方に突出するとともに、左右に間隔をおいて配列された複数のフィンと、を備えることを特徴とする照明装置のヒートシンク。
【請求項２】
前記フロントベースプレートが、
前記下部フロントプレートの上端から上斜め前方に張り出し、前上がりに傾斜した後寄り部分と、
前記後寄り部分の前端から前記上部フロントプレートの下端まで上斜め前方に張り出した前寄り部分と、を有し、
前記発光素子が前記フロントベースプレートの前面のうち前記前寄り部分に取り付けられ、
前記後寄り部分の勾配が前記前寄り部分の勾配よりも緩やかであることを特徴とする請求項１に記載の照明装置のヒートシンク。
【請求項３】
前記後寄り部分に貫通孔が形成されていることを特徴とする請求項２に記載の照明装置のヒートシンク。
【請求項４】
請求項１から３の何れか一項に記載のヒートシンクと、
前記発光素子と、
前記発光素子から発した光を投射して、配光を形成する光学系と、を備えることを特徴とする照明装置。
【請求項５】
前記光学系が、
前記フロントベースプレートに対向し、前上がりに傾斜し、前記発光素子から発した光を受け入れる入射面と、
前記入射面の前方に配置され、前記入射面に入射した光を下斜め後方に反射させる第１の反射面と、
前記フロントベースプレート及び前記入射面の下方であって前記下部フロントプレートの前方に配置され、前記第１の反射面によって反射した光を前方に反射させる第２の反射面と、
前記第２の反射面の前方に配置され、前記第２の反射面によって反射した光を前方に出射させる出射面と、を有することを特徴とする請求項４に記載の照明装置。
【発明の詳細な説明】
【技術分野】
【０００１】
本発明は、照明装置及びそのヒートシンクに関する。
【背景技術】
【０００２】
発光ダイオードは、電球、放電管等と比較して、小型化、低消費電力、長寿命である。そのため、近年、車両用前照灯、車両用フォグランプ、家庭用照明等の照明装置の光源は、電球、放電管等から発光ダイオードに代替されてきている。ところが、発光ダイオードに電流が流れると、局部（ＰＮ接合部）に熱が集中するので、発光ダイオードの放熱対策が必要となる。
【０００３】
特許文献１には、放熱対策が施されたプロジェクタランプが記載されている。特許文献１の図４に示されているように、発光ダイオード（６）がマウントプレート（７）の上に搭載され、その発光ダイオード（６）が上に向いている。リフレクタ（８）は、発光ダイオード（６）を上から覆うようにしてマウントプレート（７）に取り付けられている。ヒートシンク（１２）がマウントプレート（７）から下に垂下するように設けられ、放熱フィン（１５）がリフレクタ（８）の上面から上に突き出るように設けられている。発光ダイオード（６）から発した熱がヒートシンク（１２）や放熱フィン（１５）まで伝熱し、その熱がヒートシンク（１２）や放熱フィン（１５）から空気中に放出される。その際、ヒートシンク（１２）や放熱フィン（１５）の熱によって気流が生じる。
【先行技術文献】
【特許文献】
【０００４】
【特許文献１】特開２００８−１３０２３２号公報
【発明の概要】
【発明が解決しようとする課題】
【０００５】
しかし、ヒートシンク（１２）の上側がマウントプレート（７）によって塞がれているから、ヒートシンク（１２）の熱によって生じた気流はマウントプレート（７）によって妨げられて小さくなってしまう。また、放熱フィン（１５）の下側もリフレクタ（８）によって塞がれているから、放熱フィン（１５）の熱によって生じた気流も小さい。そのため、ヒートシンク（１２）や放熱フィン（１５）からの放熱量も限られたものとなる。
そこで、本発明が解決しようとする課題は、気流を利用してフィンの放熱量を高められるようにすることである。
【課題を解決するための手段】
【０００６】
以上の課題を解決するため、本発明に係る照明装置のヒートシンクは、前方を向いて立てた状態に設けられた下部フロントプレートと、前記下部フロントプレートの上端から上斜め前方に張り出して、前上がりに傾斜し、その前面に発光素子が取り付けられたフロントベースプレートと、前記フロントベースプレートの前端から上方に張り出すとともに前方を向いた上部フロントプレートと、前記下部フロントプレート、前記フロントベースプレート及び上部フロントプレートの後面から後方に突出するとともに、左右に間隔をおいて配列された複数のフィンと、を備えることとした。
【０００７】
好ましくは、前記フロントベースプレートが、前記下部フロントプレートの上端から上斜め前方に張り出し、前上がりに傾斜した後寄り部分と、前記後寄り部分の前端から前記上部フロントプレートの下端まで上斜め前方に張り出した前寄り部分と、を有し、前記発光素子が前記フロントベースプレートの前面のうち前記前寄り部分に取り付けられ、前記後寄り部分の勾配が前記前寄り部分の勾配よりも緩やかであることとした。
【０００８】
好ましくは、前記後寄り部分に貫通孔が形成されていることとした。
【０００９】
以上の課題を解決するために、本発明に係る照明装置は、前記ヒートシンクと、前記発光素子と、前記発光素子から発した光を投射して、配光を形成する光学系と、を備えることとした。
【００１０】
好ましくは、前記光学系が、前記フロントベースプレートに対向し、前上がりに傾斜し、前記発光素子から発した光を受け入れる入射面と、前記入射面の前方に配置され、前記入射面に入射した光を下斜め後方に反射させる第１の反射面と、前記フロントベースプレート及び前記入射面の下方であって前記下部フロントプレートの前方に配置され、前記第１の反射面によって反射した光を前方に反射させる第２の反射面と、前記第２の反射面の前方に配置され、前記第２の反射面によって反射した光を前方に出射させる出射面と、を有することとした。
【発明の効果】
【００１１】
本発明によれば、下部フロントプレートが立てた状態に設けられているから、隣り合うフィンの隙間の上や下が下部フロントプレートによって塞がれていない。また、上部フロントプレートがフロントベースプレートの前端から上方に張り出しているから、隣り合うフィンの隙間の上や下が上部フロントプレートによって塞がれていない。そうすると、フィンの熱によって生じる気流が上昇気流となり、その上昇気流が下部フロントプレートや上部フロントプレートによって妨げられない。そのため、隣り合うフィンの間を通る上昇気流が強くなり、フィンの放熱量が高まる。
また、フィンが、フロントベースプレートの後面からのみならず、下部フロントプレート及び上部フロントプレートの後面からも後方に突出しているから、発光素子で発した熱が下部フロントプレート及び上部フロントプレートを通じてフィンに伝導する。そのため、発光素子を効率よく冷却することができる。
また、フロントベースプレートが前上がりに傾斜し、フロントベースプレートの前面に取り付けられた発光素子が下斜め前を向いているから、光学系の前後長を短くすることができる。
【図面の簡単な説明】
【００１２】
【図１】本発明の第１実施形態における照明装置の前方斜視図である。
【図２】同実施形態における照明装置の鉛直断面図である。
【図３】同実施形態におけるヒートシンクの前方斜視図である。
【図４】同実施形態におけるヒートシンクの平面図、正面図及び底面図である。
【図５】本発明の第２実施形態におけるヒートシンクの前方斜視図である。
【図６】同実施形態におけるヒートシンクの平面図、正面図及び底面図である。
【図７】本発明の第３実施形態における照明装置の鉛直断面図である。
【図８】本発明の第４実施形態における照明装置の鉛直断面図である。
【図９】本発明の第５実施形態における照明装置の鉛直断面図である。
【図１０】本発明の第６実施形態におけるヒートシンクの平面図、正面図及び底面図である。
【発明を実施するための形態】
【００１３】
以下に、本発明を実施するための形態について図面を用いて説明する。但し、以下に述べる実施形態には、本発明を実施するために技術的に好ましい種々の限定が付されているが、本発明の範囲を以下の実施形態及び図示例に限定するものではない。
【００１４】
〔第１の実施の形態〕
図１は、照明装置１の前方斜視図である。図２は、照明装置１を横から見て示した鉛直断面図である。
【００１５】
この照明装置１は、自動四輪車、自動二輪車、自転車、鉄道車両その他の車両に用いられる車両用灯具である。また、この照明装置１は、車両の前照灯、フォグランプその他の車両用灯具として用いられるものである。なお、以下の説明において、「上」、「下」、「前」、「後」、「左」、「右」は、それぞれ、照明装置１が装備された車両の「上」、「下」、「前」、「後」、「左」、「右」である。従って、後ろから前に向かって見て（いわゆる車内のドライバー視点で）、左右の向きを定める。
【００１６】
照明装置１の光軸Ａｘは、前方に延びている。照明装置１は、発光素子１０、光学系２０及びヒートシンク３０等を備える。
発光素子１０は、基板１１上に実装されている。基板１１がヒートシンク３０の前面に取り付けられ、発光素子１０が下斜め前方に向けられている。発光素子１０は、発光ダイオード、無機エレクトロルミネッセンス素子、有機エレクトロルミネッセンス素子その他の半導体発光素子である。
【００１７】
光学系２０は、発光素子１０から発した光を前方に投射して、所定の配光を形成するものである。光学系２０は、入射面２１、第１の反射面２２、第２の反射面２３及び出射面２４を有する。入射面２１は、上斜め後方に向けられている。つまり、入射面２１は、発光素子１０に向けられている。第１の反射面２２は、入射面２１の前方に形成されている。第２の反射面２３は、入射面２１の下方に隣接するとともに、第１の反射面２２の下斜め後方に形成されている。出射面２４は、第１の反射面２２の下方に隣接するとともに、第２の反射面２３の前方に形成されている。出射面２４と第１の反射面２２が、連続して、面一に設けられている。なお、出射面２４と第１の反射面２２が分離して、出射面２４と第１の反射面２２の境界部が段差又は角となっていてもよい。
【００１８】
入射面２１は、発光素子１０から発した光を取り込むとともに、その光を屈折させる。第１の反射面２２は、入射面２１に入射した光を下斜め後方に反射させる。第２の反射面２３は、第１の反射面２２によって反射した光を前方に反射させる。出射面２４は、第２の反射面２３によって反射した光を前方に出射させるとともに、その光を屈折させる。入射面２１、第１の反射面２２、第２の反射面２３及び出射面２４の形状は、所望の配光を得るために設計されたものである。入射面２１、第１の反射面２２、第２の反射面２３及び出射面２４によって焦点Ｆ（又は、左右方向に延びた焦線）が設定され、その焦点Ｆ（焦線の場合には、焦線の中心点）が発光素子１０又はその近傍に位置している。
【００１９】
照明装置１を前照灯又はフォグランプとして用いる場合には、入射面２１、第１の反射面２２、第２の反射面２３及び出射面２４の形状によって、出射面２４から前方に出射する光が、左又は右から見て、水平面に対して僅かに下に傾いた略平行光となる。一方、入射面２１、第１の反射面２２、第２の反射面２３及び出射面２４の形状によって、出射面２４から前方に出射する光は、上又は下から見て、放射状に左右へ拡散した光となる。
【００２０】
入射面２１に入射した光が反射面２２，２３によって反射されるから、入射面２１から出射面２４までの光路の距離を確保しつつ、光学系２０の前後長を短くすることができる。
また、より明るい配光を得るべく、入射面２１を広くしても、光学系２０の前後長が長くならず、光学系２０の小型化を図ることができる。これは、発光素子１０が下斜め前を向き、入射面２１がその発光素子１０に対向し、その入射面２１が前上がりに傾斜しているためである。
【００２１】
図３は、ヒートシンク３０の前方斜視図である。図４（ａ）は、ヒートシンク３０の平面図である。図４（ｂ）は、ヒートシンク３０の正面図である。図４（ｃ）は、ヒートシンク３０の底面図である。
【００２２】
図３、図４（ａ）〜図４（ｃ）に示すように、ヒートシンク３０は、下部フロントプレート３１、フロントベースプレート３２、上部フロントプレート３３、左右一対のサイドプレート３４，３４、左右一対のフランジ３５，３５及び複数のフィン３６を有する。これら下部フロントプレート３１、フロントベースプレート３２、上部フロントプレート３３、サイドプレート３４、フランジ３５及びフィン３６は、一体成形されている。これら下部フロントプレート３１、フロントベースプレート３２、上部フロントプレート３３、サイドプレート３４、フランジ３５及びフィン３６は、伝熱材料（アルミニウム、アルミ合金、鉄鋼、ステンレス鋼、銅その他の金属）からなる。
【００２３】
下部フロントプレート３１は、水平面に対して略垂直となるように立っているとともに、前方を向いている。下部フロントプレート３１は、正面から見て、矩形状に成している。フロントベースプレート３２は、下部フロントプレート３１の上端に繋がっている。フロントベースプレート３２は、下部フロントプレート３１の上端から上斜め前方に張り出して、前上がりに傾斜している。
【００２４】
フロントベースプレート３２は、後寄りの部分３２ａと、前寄りの部分３２ｂとからなる。後寄り部分３２ａは、下部フロントプレート３１の上端から上斜め前方に張り出している。前寄り部分３２ｂは、後寄り部分３２ａの前端から上斜め前方に張り出している。後寄り部分３２ａ及び前寄り部分３２ｂは、前上がりに傾斜している。後寄り部分３２ａの勾配が前寄り部分３２ｂの勾配よりも緩やかである。後寄り部分３２ａ及び前寄り部分３２ｂは、正面から見て、上底が下底よりも短い等脚台形の形状を成している。
【００２５】
上部フロントプレート３３は、フロントベースプレート３２の前端（つまり、前寄り部分３２ｂの上底）に繋がっているとともに、フロントベースプレート３２の前端から上方に張り出している。上部フロントプレート３３は、水平面に対して略垂直となるように立っているとともに、前方を向いている。上部フロントプレート３３は、正面から見て、矩形状に成している。
【００２６】
下部フロントプレート３１、フロントベースプレート３２及び上部フロントプレート３３の左右の端部には、サイドプレート３４，３４がそれぞれ繋がっている。左のサイドプレート３４は、下部フロントプレート３１、フロントベースプレート３２及び上部フロントプレート３３の左端から左斜め後方に張り出しており、右のサイドプレート３４は、下部フロントプレート３１、フロントベースプレート３２及び上部フロントプレート３３の右端から右斜め後方に張り出している。また、これらサイドプレート３４，３４は、水平面に対して略垂直となるように立っており、左のサイドプレート３４が左斜め前方を向いており、右のサイドプレート３４が右斜め前方を向いている。サイドプレート３４は、横から見て、その上部がその下部よりも前方に張り出している。
【００２７】
サイドプレート３４，３４の後端には、フランジ３５，３５がそれぞれ繋がっている。左のフランジ３５は、左のサイドプレート３４の後端から左方に張り出しており、右のフランジ３５は、右のサイドプレート３４の後端から右方に張り出している。これらフランジ３５，３５は、水平面に対して略垂直となるように立っている。
【００２８】
下部フロントプレート３１、フロントベースプレート３２及び上部フロントプレート３３の後面には、三枚のフィン３６，３６，３６が設けられている。サイドプレート３４，３４には、それぞれ二枚のフィン３６，３６が設けられている。フランジ３５，３５の後面には、それぞれ一枚のフィン３６が設けられている。フィン３６の数は、これらに限るものではない。
【００２９】
これらフィン３６，３６，…は、下部フロントプレート３１、フロントベースプレート３２、上部フロントプレート３３、サイドプレート３４，３４及びフランジ３５から後方に突き出ている。フィン３６，３６，…は、水平面に対して略垂直となるように立っている。フィン３６，３６，…は、下部フロントプレート３１、フロントベースプレート３２、上部フロントプレート３３、サイドプレート３４，３４及びフランジ３５よりも厚い。
【００３０】
フィン３６，３６，…は、互いに平行となるように、左右に間隔をおいて配列されている。これらフィン３６，３６，…の間に隙間３７，３７，…が形成されている。これら隙間３７，３７，…の前側が下部フロントプレート３１、フロントベースプレート３２、上部フロントプレート３３、サイドプレート３４，３４及びフランジ３５によって塞がれているが、これら隙間３７，３７，…の下側、上側及び後ろ側は塞がれていない。
【００３１】
図２に示すように、フロントベースプレート３２の前寄り部分３２ｂの前面には、発光素子１０の基板１１がネジ等によって取り付けられている。基板１１と前寄り部分３２ｂが面接触している。基板１１が前寄り部分３２ｂに取り付けられた状態では、発光素子１０が下斜め前方に向いている。
【００３２】
光学系２０がヒートシンク３０の前に配置されている。ここで、図１に示すように、光学系２０の左右両側に、それぞれ脚部２５が設けられている。脚部２５が後方に延出し、脚部２５の突端がフランジ３５との間にレンズホルダ２６を挟持した状態でフランジ３５に固定されている。
【００３３】
光学系２０がヒートシンク３０に取り付けられた状態では、フロントベースプレート３２の前寄り部分３２ｂが光学系２０の入射面２１の上寄り部分に対向している。入射面２１の下寄り部分がフロントベースプレート３２の後ろ寄り部分３２ａの下に配置されている。光学系２０の第２の反射面２３が、下部フロントプレート３１の前に配置されている。
【００３４】
発光素子１０は、フロントベースプレート３２の前寄り部分３２ｂと光学系２０の入射面２１の上寄り部分との隙間４１に配置されている。入射面２１の下寄り部分とフロントベースプレート３２の後寄り部分３２ａとの間の隙間４２は、フロントベースプレート３２の前寄り部分３２ｂと光学系２０の入射面２１の上寄り部分との間の隙間４１よりも大きい。
【００３５】
発光素子１０は、発光すると発熱する。発光素子１０で生じた熱は、フロントベースプレート３２を通じてフィン３６に伝熱し、フィン３６の熱が空気中に放出される。特に、フロントベースプレート３２のみならず、下部フロントプレート３１、上部フロントプレート３３、サイドプレート３４及びフランジ３５によっても、発光素子１０の熱がフィン３６に伝熱する。そのため、発光素子１０を効率よく冷却することができる。
【００３６】
また、フィン３６の熱によって隣り合うフィン３６の間の隙間３７には、上昇気流が生じる。隙間３７の上や下が下部フロントプレート３１、上部フロントプレート３３、サイドプレート３４及びフランジ３５によって塞がれていないから、発生した上昇気流が下部フロントプレート３１、上部フロントプレート３３、サイドプレート３４及びフランジ３５によって妨げられることはない。強い上昇気流によってフィン３６の放熱量が高まり、発光素子１０を効率よく放熱することができる。
【００３７】
フロントベースプレート３２の後寄り部分３２ａの勾配が前寄り部分３２ｂや入射面２１の勾配よりも緩やかなため、入射面２１とフロントベースプレート３２の後寄り部分３２ａとの間の隙間４２が大きくなっている。そのため、発光素子１０から発した熱がその隙間４２に籠もりにくく、発光素子１０が高温になりにくい。
【００３８】
下部フロントプレート３１が略垂直に立っているから、フィン３６の表面積を確保しつつ、上部フロントプレート３３からフィン３６の後端までの前後長を短くすることができる。
【００３９】
〔第２の実施の形態〕
図５は、第２の実施の形態におけるヒートシンク３０Ａの前方斜視図である。図６（ａ）は、第２の実施の形態におけるヒートシンク３０Ａの平面図である。図６（ｂ）は、ヒートシンク３０Ａの正面図である。図６（ｃ）は、ヒートシンク３０Ａの底面図である。第２実施形態のヒートシンク３０Ａと第１実施形態のヒートシンク３０との間で互いに対応する部分には、同一の符号を付す。
【００４０】
図５、図６（ａ）〜図６（ｃ）に示すように、このヒートシンク３０Ａでは、貫通孔３２ｃがフロントベースプレート３２の後寄り部分３２ａに形成されている。そのため、熱気が隙間４２に滞留せずに、貫通孔３２ｃを通って上昇する。従って、発光素子１０を効率よく冷却することができる。
以上に説明したことを除いて、第２実施形態のヒートシンク３０Ａと第１実施形態のヒートシンク３０との間で互いに対応する部分が同様に設けられている。
【００４１】
〔第３の実施の形態〕
図７は、第３の実施の形態における照明装置１Ｂを横から見て示した鉛直断面図である。第３実施形態の照明装置１Ｂと第１実施形態の照明装置１との間で互いに対応する部分には、同一の符号を付す。
【００４２】
第３実施形態のヒートシンク３０Ｂのフロントベースプレート３２の形状が、第１実施形態のヒートシンク３０のフロントベースプレート３２の形状と異なる。つまり、水平面に対するフロントベースプレート３２の前寄り部分３２ｂの傾斜角と、水平面に対する前寄り部分３２ｂの傾斜角が等しく、後寄り部分３２ａと前寄り部分３２ｂが面一となっている。そのため、後寄り部分３２ａと入射面２１との間の隙間４２は、第１実施形態の場合と比較して第３実施形態の方が小さい。
以上に説明したことを除いて、第３実施形態の照明装置１Ｂと第１実施形態の照明装置１との間で互いに対応する部分が同様に設けられている。
【００４３】
〔第４の実施の形態〕
図８は、第４の実施の形態における照明装置１Ｃを横から見て示した鉛直断面図である。第４実施形態の照明装置１Ｃと第１実施形態の照明装置１との間で互いに対応する部分には、同一の符号を付す。
【００４４】
第４実施形態の照明装置１Ｃは、リフレクタ型照明装置である。つまり、この照明装置１Ｃの光学系２０Ｃは、放物面系リフレクタである。光学系２０Ｃが発光素子１０の下斜め後ろから下斜め前にかけて配置されており、光学系２０Ｃの前側内面が、放物面系反射面２７となっている。放物面系反射面２７によって焦点Ｆ（又は、左右方向に延びた焦線）が設定され、その焦点Ｆ（焦線の場合には、焦線の中心点）が発光素子１０又はその近傍に位置している。放物面系反射面２７は、発光素子１０から発した光を前方に出射させる。放物面系反射面２７によって反射した光は、左又は右から見て、水平面に対して僅かに下に傾いた略平行光となる。一方、放物面系反射面２７によって反射した光は、上又は下から見て、放射状に左右へ拡散した光となる。
【００４５】
以上に説明したことを除いて、第４実施形態の照明装置１Ｃと第１実施形態の照明装置１との間で互いに対応する部分が同様に設けられている。なお、第２、第３の実施の形態のヒートシンク３０Ａ，Ｂをリフレクタ型照明装置１Ｃに適用してもよい。
【００４６】
〔第５の実施の形態〕
図９は、第５の実施の形態における照明装置１Ｄを横から見て示した鉛直断面図である。
第５実施形態の照明装置１Ｄは、ダイレクトプロジェクション型照明装置である。つまり、この照明装置１Ｄの光学系２０Ｄは、凸レンズである。光学系２０Ｄが発光素子１０の前方に配置されている。光学系２０Ｄによって焦点Ｆ（又は、左右方向に延びた焦線）が設定され、その焦点Ｆ（焦線の場合には、焦線の中心点）が発光素子１０又はその近傍に位置している。光学系２０Ｄは、発光素子１０から発した光を前方に投射する。光学系２０Ｄによって投射された光は、左又は右から見て、水平面に対して僅かに下に傾いた略平行光となる。一方、光学系２０Ｄによって投射された光は、上又は下から見て、放射状に左右へ拡散した光となる。
【００４７】
以上に説明したことを除いて、第５実施形態の照明装置１Ｄと第１実施形態の照明装置１との間で互いに対応する部分が同様に設けられている。なお、第２、第３の実施の形態のヒートシンク３０Ａ，３０Ｂをダイレクトプロジェクション型照明装置１Ｄに適用してもよい。
【００４８】
〔第６の実施の形態〕
図１０（ａ）は、第６の実施の形態におけるヒートシンク３０Ｄの平面図である。図６（ｂ）は、ヒートシンク３０Ｄの正面図である。図６（ｃ）は、ヒートシンク３０Ｄの底面図である。第６実施形態のヒートシンク３０Ｄと第１実施形態のヒートシンク３０との間で互いに対応する部分には、同一の符号を付す。
【００４９】
図１０（ａ）〜図１０（ｃ）に示すように、このヒートシンク３０Ｄには、サイドプレート３４及びフランジ３５が設けられていない。その代わり、下部フロントプレート３１及び上部フロントプレート３３が、左右方向に帯状に設けられている。フロントベースプレート３２の後寄り部分３２ａと前寄り部分３２ｂも、左右方向に帯状に設けられている。下部フロントプレート３１及び上部フロントプレート３３が、正面から見て、矩形状に成している。フロントベースプレート３２の後寄り部分３２ａと前寄り部分３２ｂも、同様である。
【００５０】
下部フロントプレート３１、フロントベースプレート３２及び上部フロントプレート３３は、第１実施形態の場合と比較して左右に長く設けられている。そのため、下部フロントプレート３１、フロントベースプレート３２及び上部フロントプレート３３に設けられたフィン３６の数も、第１実施形態の場合と比較して多くなって、９枚となっている。なお、フィン３６の数は９に限るものではない。
【００５１】
〔その他〕
上記各実施形態では、本発明に係る照明装置を車両用灯具として用いるものとして説明したが、ウォールライトその他の照明灯として用いてもよい。照明装置の用途に応じて光学系の特性を変更するのは勿論であり、光軸の向きも前向きではなく、下斜め前向きであってもよいし、下向きであってもよいし、その他の向きであってもよい。
【符号の説明】
【００５２】
１、１Ｂ、１Ｃ、１Ｄ  照明装置
１０  発光素子
２０、２０Ｃ、２０Ｄ  光学系
２１  入射面
２２  第１の反射面
２３  第２の反射面
２４  出射面
３０、３０Ａ、３０Ｂ、３０Ｄ  ヒートシンク
３１  下部フロントプレート
３２  フロントベースプレート
３２ａ  後寄り部分
３２ｂ  前寄り部分
３２ｃ  貫通孔
３３  上部フロントプレート
３６  フィン
【図１】
0005498253.tif 000002
【図２】
0005498253.tif 000003
【図３】
0005498253.tif 000004
【図４】
0005498253.tif 000005
【図５】
0005498253.tif 000006
【図６】
0005498253.tif 000007
【図７】
0005498253.tif 000008
【図８】
0005498253.tif 000009
【図９】
0005498253.tif 000010
【図１０】
0005498253.tif 000011